(57)【要約】      （修正有）【課題】ロールテッシュを片手だけで必要な長さに容易に切り取ることを可能とし、ロールテッシュホルダーを卓上，机上などさまざまな場所に自由に置いて便利に使用できるようにするとともに、怪我を防ぐための安全装置を簡単に組み込むことができるようにする。【解決手段】テッシュ台１の上部に円形状のくぼみを設け、この上にロールテッシュ４を載せ、テッシュ先端５を引き出しテッシュ台の前方にある切り取り歯３で切り取る。このとき薄いバネ材で構成した跳ね返し板Ａがテッシュで前方に引き倒されるようにし、テッシュが切り取られた後に跳ね返し板Ａでロールテッシュの先端が跳ね上げられるようにして次にロールテッシュを引き出すときにテッシュの先端がつかみやすくなるようにする。安全装置を組み込む場合は、常時、安全板７が切り取り歯３より上に押し出されるようにし、安全板はその状態にロックされるようにしておく。【選択図】        図２
2004209108.tif 000002
【特許請求の範囲】
【請求項１】
ロールテッシュを載せるためのテッシュ台（１）、ロールテッシュを必要な長さに切るための切り取り歯（３）、テッシュ先端（５）をつかみやすくするための跳ね返し板Ａ（２）で構成されたことを特徴とするロールテッシュホルダー。
【請求項２】
ロールテッシュを載せるためのテッシュ台（１）、切り取り歯（３）による怪我を防止するための安全板（７）、安全板を切り取り歯をカバーできる位置に常時セットするためのバネＡ（９）、テッシュを切り取る場合以外は安全板が移動しないようにロックするための安全ロック板（８）、テッシュを切る場合にテッシュ先端（５）をつかみやすくするとともに安全ロック板を安全板から外すための跳ね返し板Ｂ（６）、跳ね返し板Ｂの動きを安全ロック板に伝えるための蝶番（１１）とバネＢ（１０）、で構成されたことを特徴とする請求項１記載のロールテッシュホルダー。
【発明の詳細な説明】
【０００１】
【発明が属する技術分野】
本発明は、幅１２ｃｍ程度のテッシュ用紙が、直径１２ｃｍ程度に巻かれたロールテッシュを必要な長さに簡単に切り取ることができるロールテッシュホルダーに関するものである。
【０００２】
【従来の技術】
テッシュを簡単に使う方法としては、折り方を工夫した方形のテッシュを箱に入れテッシュが二枚一組ずつ取り出せるようにしたものが一般に使われている他、ロールテッシュに一定の長さごとにミシン目を入れ、そのミシン目のところから切り取るようにしたホルダーにセットしたものがキッチン用などに使われている。
【０００３】
しかし、方形のテッシュを使う場合やミシン目のところから切り取るようにしたロールテッシュホルダーを使う場合は、いずれの場合も実際に必要とするテッシュの量に関係なく常に一定量を使うことになるためさまざまな雑用に使う場合は無駄が多く、不経済である。
また、ミシン目のところからテッシュを切り取るようにしたロールテッシュ用のホルダーの場合は、テッシュを片手で切れるようにするためホルダーを固定する必要があり置き場所が制約される他、ロールテッシュを必ずミシン目のところから切る必要があり使用上煩わしいなどの問題がある。
【０００４】
【発明が解決しようとする課題】
解決しようとする問題点は、片手だけでテッシュを必要な長さに簡単に切り取ることができること、簡易な一枚もののロールテッシュを使うことができること、ホルダーを卓上、机上その他必要なところに自由に置いて使用できること、ロールテッシュのホルダーへのセットが簡単であることである。
【０００５】
【課題を解決するための手段】
本発明は、  ロールテッシュ（４）をテッシュ台（１）に載せ、テッシュ先端（５）を指でつかみ必要量引出した後、斜め前方に突き出した切り取り歯（３）にかけ斜め下方に力をかけてロールテッシュを切り取ることができるようになっている。
切り取られたロールテッシュの先端は、薄いバネ材で構成した跳ね返し板Ａ（２）で跳ね上げられるため次回使用時にはテッシュの先端を簡単につかむことができる。
テッシュを切り取る場合には、切り取り歯に対し斜め下方に力をかけるため、前方に突き出たテッシュ台の先端の後方に力が下方に加わりテッシュを切る場合にもホルダーは移動せず安定している。したがって片手だけでテッシュを切り取ることができる。
また、ロールテッシュはテッシュ台の上に載せて置くだけでありホルダーへのセットは簡単に行うことができる。
【０００６】
【発明の実施の形態】
ロールテッシュを必要な長さに片手だけで容易に切り取り使用できるようにするという目的を簡単な構造で実現できるようにした。
また、切り取り歯による怪我の発生を防ぐための安全装置も実現した。
【０００７】
【実施例】
図１は、ロールテッシュホルダーの基本形の斜視図である。テッシュ台（１）の上部に円形状のくぼみがあり、この上にロールテッシュを載せる。ロールテッシュの先端を引き出しテッシュ台の前方にある切り取り歯（３）で切るときに薄いバネ材で構成した跳ね返し板Ａ（２）がテッシュで前方に引き倒され、テッシュが切り取られた後にロールテッシュの先端を跳ね上げるため、次にロールテッシュを引き出すときテッシュの先端をつかむのが容易になる。
切り取り歯は斜め前方に伸びているため、ロールテッシュを切るときはロールテッシュに斜め下方の力を加えることになる。したがって、テッシュに加わる力と前方に突き出たテッシュ台下部との力のバランスによりテッシュを切るときにもホルダーは安定しており、片手だけでテッシュを切り取ることができる。
【０００８】
図２はロールテッシュホルダーの使用状態を示す斜視図である。ロールテッシュ（４）はテッシュ先端（５）を引き出すときにテッシュの先端がロールテッシュの下側から出てくるような向きにセットする。したがって、テッシュの先端を円滑に引き出すことができ、また切り取り歯（３）でテッシュを切るときに跳ね返し板Ａ（２）を引き倒しテッシュが切れた後でテッシュの先端が跳ね返し板Ａで跳ね上げられるようになる。
【０００９】
図３は安全装置を組み込んだロールテッシュホルダーの実施例の側面図である。常時、安全板（７）が切り取り歯（３）より上に出ており、安全板は跳ね返し板Ｂ（６）に連動した安全ロック板（８）でロックされている。したがって、この状態では、切り取り歯付近にぶつかっても怪我をすることがない。
ロールテッシュを切るときにはテッシュで跳ね返し板Ｂが矢印の方向に引き倒され、安全ロック板も矢印の方向に回転して、安全ロック板が安全板から外れる。したがって、ロールテッシュを切るときには安全板がテッシュに押されて切り取り歯が露出するためテッシュを切り取ることができる。
常時、安全板の先端はバネＡ（９）の力で切り取り歯の先端より上に押し上げられており、また安全ロック板は、蝶番（１１）およびバネＢ（１０）により安全版をロックできる位置にセットされている。
この安全装置は、跳ね返し板Ｂの動きを利用して動作させていることに特徴があり、実施形態としては種々の方法が考えられる。
【００１０】
【発明の効果】
以上説明したように本発明のロールテッシュホルダーは、テッシュを片手だけで必要な長さに切り取ることができる。したがって、無駄を省くことができ経済性を実現できる。
また、一枚ものの簡易なロールテッシュが使用できるため種々の雑用にテッシュを気楽に使うことができる。
ロールテッシュのセットは、テッシュ台に載せるだけであり、テッシュホルダーは卓上、机上などさまざまな場所に置いて使用することができる。
また、切り取り歯による怪我を防ぐため、簡単で確実な安全装置を組み込むことができる。
【図面の簡単な説明】
【図１】本発明の基本形状を示す斜視図。
【図２】本発明の使用状態を示す斜視図。
【図３】安全装置を組み込んだ本発明の実施例を示す側面図。
【符号の説明】
１  テッシュ台
２  跳ね返し板Ａ
３  切り取り歯
４  ロールテッシュ
５  テッシュ先端
６  跳ね返し板Ｂ
７  安全板
８  安全ロック板
９  バネＡ
１０  バネＢ
１１  蝶番
【図１】
2004209108.tif 000003
【図２】
2004209108.tif 000004
【図３】
2004209108.tif 000005